(57)【要約】【課題】記録媒体に着弾したインクの位置ずれが生じることを抑え、画質の低下を抑制して、優れた印刷品質を得ることが可能な液滴吐出装置を提供する。【解決手段】紫外線硬化型インクを吐出する液滴吐出ヘッド９と、紫外線を照射し、紫外線硬化型インクを硬化させる紫外線照射部１２と、記録媒体Ｐを載置するステージ６と、液滴吐出ヘッド９とステージ６とを、相対的に移動させる移動手段と、記録媒体Ｐの温度分布を検出する温度検出手段４０と、記録媒体Ｐの温度分布に基づき、予め設定された液滴吐出ヘッド９の吐出単位領域の温度を求め、これら求めた温度がそれぞれ予め設定した温度未満か否かを判定する判定部と、判定部の判定結果が予め設定した温度未満であると判定された吐出単位領域に対して、液滴吐出ヘッド９から紫外線硬化型インクが吐出可能となるよう、移動手段を制御する制御部と、を備えることを特徴とする。【選択図】図４
2011235233.tif 000002
【特許請求の範囲】
【請求項１】
紫外線硬化型インクを吐出する液滴吐出ヘッドと、
前記液滴吐出ヘッドから吐出された前記紫外線硬化型インクに紫外線を照射し、該紫外線硬化型インクを硬化させる紫外線照射部と、
記録媒体を載置するステージと、
前記液滴吐出ヘッドと前記ステージとを、第１方向とこれに直交する第２方向に相対的に移動させる移動手段と、
前記ステージ上に載置される前記記録媒体の温度分布を検出する温度検出手段と、
前記温度検出手段によって検出された前記記録媒体の温度分布に基づき、予め設定された前記液滴吐出ヘッドの吐出単位領域の温度を求め、これら求めた温度がそれぞれ予め設定した温度未満か否かを判定する判定部と、
前記判定部の判定結果が予め設定した温度未満であると判定された吐出単位領域に対して、前記液滴吐出ヘッドから前記紫外線硬化型インクが吐出可能となるよう、前記液滴吐出ヘッドと前記ステージとを相対的に移動させるよう、前記移動手段を制御する制御部と、
を備えることを特徴とする液滴吐出装置。
【請求項２】
前記移動手段は、前記液滴吐出ヘッドを前記第１方向に移動させるとともに前記ステージを前記第２方向に移動させるように構成されており、
前記吐出単位領域は、前記液滴吐出ヘッドが移動する領域であって前記第２方向に沿って配列された複数のスキャン領域であり、
前記判定部は、予め設定された前記液滴吐出ヘッドの前記スキャン領域毎の温度を求め、これら求めた温度がそれぞれ予め設定した温度未満か否かを判定し、
前記制御部は、前記判定部の判定結果が予め設定した温度未満であると判定されたスキャン領域に対して、前記液滴吐出ヘッドから前記紫外線硬化型インクが吐出可能となるよう、前記移動手段を制御することを特徴とする請求項１に記載の液滴吐出装置。
【請求項３】
前記温度検出手段は、前記ステージに埋設された熱電対であることを特徴とする請求項１または２に記載の液滴吐出装置。
【請求項４】
前記制御部は、前記温度検出手段の検出した温度が予め設定した温度未満となる吐出単位領域がない場合、前記液滴吐出ヘッドからの前記紫外線硬化型インクの前記記録媒体に対する吐出を所定時間停止させる制御を行うことを特徴とする請求項１〜３のいずれか１項に記載の液滴吐出装置。
【請求項５】
紫外線硬化型インクを吐出する液滴吐出ヘッドと、
前記液滴吐出ヘッドから吐出された前記紫外線硬化型インクに紫外線を照射し、該紫外線硬化型インクを硬化させる紫外線照射部と、
記録媒体を載置するステージと、
前記液滴吐出ヘッドと前記ステージとを、第１方向とこれに直交する第２方向に相対的に移動させる移動手段と、
前記ステージ上に載置される前記記録媒体の伸び量分布を検出する伸び量検出手段と、
前記伸び量検出手段によって検出された前記記録媒体の伸び量分布に基づき、予め設定された前記液滴吐出ヘッドの吐出単位領域の伸び量を求め、これら求めた伸び量がそれぞれ予め設定した伸び量未満か否かを判定する判定部と、
前記判定部の判定結果が予め設定した伸び量未満であると判定された吐出単位領域に対して、前記液滴吐出ヘッドから前記紫外線硬化型インクが吐出可能となるよう、前記液滴吐出ヘッドと前記ステージとを相対的に移動させるよう、前記移動手段を制御する制御部と、
を備えることを特徴とする液滴吐出装置。
【請求項６】
前記移動手段は、前記液滴吐出ヘッドを前記第１方向に移動させるとともに前記ステージを前記第２方向に移動させるように構成されており、
前記吐出単位領域は、前記液滴吐出ヘッドが移動する領域であって前記第２方向に沿って配列された複数のスキャン領域であり、
前記判定部は、予め設定された前記液滴吐出ヘッドの前記スキャン領域毎の伸び量を求め、これら求めた伸び量がそれぞれ予め設定した伸び量未満か否かを判定し、
前記制御部は、前記判定部の判定結果が予め設定した伸び量未満である判定されたスキャン領域に対して、前記液滴吐出ヘッドから前記紫外線硬化型インクが吐出可能となるよう、前記移動手段を制御することを特徴とする請求項５に記載の液滴吐出装置。
【請求項７】
前記伸び量検出手段は、予め前記液滴吐出ヘッドにより吐出されて前記記録媒体に着弾した紫外線硬化型インクを硬化させて形成されたマーキングに基づいて伸び量を検出することを特徴とする請求項５または６に記載の液滴吐出装置。
【請求項８】
前記制御部は、前記伸び量検出手段の検出した伸び量が予め設定した伸び量未満となる吐出単位領域がない場合、前記液滴吐出ヘッドからの前記紫外線硬化型インクの前記記録媒体に対する吐出を所定時間停止させる制御を行うことを特徴とする請求項５〜７のいずれか１項に記載の液滴吐出装置。
【発明の詳細な説明】
【技術分野】
【０００１】
本発明は、液滴吐出装置に関するものである。
【背景技術】
【０００２】
近年、紫外線照射によって硬化する紫外線硬化型インクを用いて記録媒体に画像またはパターンを形成する液滴吐出装置が注目されている。紫外線硬化型インクは、紫外線を照射するまでは硬化が非常に遅く、紫外線を照射すると急速に硬化するという、印刷インクとして好ましい特性を有する。また、硬化にあたって溶剤を揮発させることがないので、環境負荷が小さいという利点もある。
【０００３】
さらに、紫外線硬化型インクは、ビヒクルの組成により種々の記録媒体に高い付着性を発揮する。また、硬化した後は化学的に安定で、接着性、耐薬剤性、耐候性、耐摩擦性等が高く、屋外環境にも耐える等、優れた特性を有する。このため、紙、樹脂フィルム、金属箔等の薄いシート状の記録媒体の他、記録媒体のレーベル面、テキスタイル製品等、ある程度立体的な表面形状を有するものに対しても画像を形成できる。
【０００４】
ところで、例えば特許文献１に示すように、ＵＶランプなどのＵＶ照射手段がインクジェットヘッドの横に設けられているインクジェットプリンターを適用する場合、インクジェットヘッドによる描画位置近傍で描画直後にＵＶインクを硬化させるために、ＵＶランプからの熱成分を含むＵＶ光が記録媒体に照射されることになる。また、記録媒体は高熱のＵＶランプからの熱を受けることになる。このため、記録媒体が描画位置において熱膨張してしまい、これにより、記録媒体に着弾したインクの位置ずれが生じる等して、画質を低下させるおそれがある。
【０００５】
このような問題点を解決するための技術が検討されており、例えば特許文献２では、インクジェットヘッドとＵＶランプとを所定の距離だけ離間して配置することで、記録媒体が熱膨張することを抑制している。
【先行技術文献】
【特許文献】
【０００６】
【特許文献１】特開２００４−３２２５６０号公報
【特許文献２】特開２００７−１９０７８０号公報
【発明の概要】
【発明が解決しようとする課題】
【０００７】
特許文献２では、インクジェットヘッドとＵＶランプとの間の距離を、ＵＶランプ自体から放射される熱及びＵＶランプから出射され、記録媒体に照射されるＵＶ光に含まれる熱成分が記録媒体に与える影響がインクジェットヘッドによる描画に影響を及ぼさない距離に設定している。
しかしながら、ＵＶランプから出射されたＵＶ光は記録媒体の表面に依然として照射されることになるため、熱成分を含むＵＶ光の照射により熱の影響を少なからず受けることとなる。このため、記録媒体が熱膨張することを抑制するにも限界があり、記録媒体に着弾したインクの位置ずれが生じることを抑制することは困難である。
【０００８】
本発明はこのような事情に鑑みてなされたものであって、記録媒体に着弾したインクの位置ずれが生じることを抑え、画質の低下を抑制して、優れた印刷品質を得ることが可能な液滴吐出装置を提供することを目的とする。
【課題を解決するための手段】
【０００９】
上記の課題を解決するため、本発明の液滴吐出装置は、紫外線硬化型インクを吐出する液滴吐出ヘッドと、前記液滴吐出ヘッドから吐出された前記紫外線硬化型インクに紫外線を照射し、該紫外線硬化型インクを硬化させる紫外線照射部と、記録媒体を載置するステージと、前記液滴吐出ヘッドと前記ステージとを、第１方向とこれに直交する第２方向に相対的に移動させる移動手段と、前記ステージ上に載置される前記記録媒体の温度分布を検出する温度検出手段と、前記温度検出手段によって検出された前記記録媒体の温度分布に基づき、予め設定された前記液滴吐出ヘッドの吐出単位領域の温度を求め、これら求めた温度がそれぞれ予め設定した温度未満か否かを判定する判定部と、前記判定部の判定結果が予め設定した温度未満であると判定された吐出単位領域に対して、前記液滴吐出ヘッドから前記紫外線硬化型インクが吐出可能となるよう、前記液滴吐出ヘッドと前記ステージとを相対的に移動させるよう、前記移動手段を制御する制御部と、を備えることを特徴とする。
【００１０】
この構成によれば、温度検出手段により、記録媒体の温度分布が検出される。また、判定部により、予め設定された液滴吐出ヘッドの吐出単位領域の温度がそれぞれ予め設定した温度未満か否かが判定される。そして、制御部により、判定部の判定結果に従って、予め設定した温度未満であると判定された吐出単位領域に対して液滴吐出ヘッドから紫外線硬化型インクが吐出可能となるよう、液滴吐出ヘッドとステージとを相対移動させる制御が行われる。つまり、記録媒体の熱膨張が許容される温度を予め設定することにより、記録媒体の熱膨張が生じていない吐出単位領域に対して紫外線硬化型インクの吐出動作が行われることになる。したがって、液滴吐出ヘッドから吐出されて記録媒体に着弾した紫外線硬化型インクの位置ずれが生じることを抑え、画質の低下を抑制して、優れた印刷品質を得ることが可能な液滴吐出装置を提供することができる。
【００１１】
また、この液滴吐出装置においては、前記移動手段は、前記液滴吐出ヘッドを前記第１方向に移動させるとともに前記ステージを前記第２方向に移動させるように構成されており、前記吐出単位領域は、前記液滴吐出ヘッドが移動する領域であって前記第２方向に沿って配列された複数のスキャン領域であり、前記判定部は、予め設定された前記液滴吐出ヘッドの前記スキャン領域毎の温度を求め、これら求めた温度がそれぞれ予め設定した温度未満か否かを判定し、前記制御部は、前記判定部の判定結果が予め設定した温度未満であると判定されたスキャン領域に対して、前記液滴吐出ヘッドから前記紫外線硬化型インクが吐出可能となるよう、前記移動手段を制御してもよい。
【００１２】
この構成によれば、判定部により、予め設定された液滴吐出ヘッドのスキャン領域毎の温度がそれぞれ予め設定した温度未満か否かが判定される。そして、制御部により、判定部の判定結果に従って、予め設定した温度未満であると判定されたスキャン領域に対して液滴吐出ヘッドから紫外線硬化型インクが吐出可能となるよう、液滴吐出ヘッドとステージとを相対移動させる制御が行われる。つまり、記録媒体の熱膨張が許容される温度を予め設定することにより、記録媒体の熱膨張が生じていないスキャン領域に対して紫外線硬化型インクの吐出動作が行われることになる。このため、液滴吐出ヘッドの吐出動作がスキャン領域単位で制御されるので、例えば、スキャン領域を移動中の液滴吐出ヘッドを停止制御させる必要がない。したがって、液滴吐出ヘッドとステージとを相対移動させる移動手段の制御を容易に行うことができる。
【００１３】
また、この液滴吐出装置においては、前記温度検出手段は、前記ステージに埋設された熱電対であってもよい。
【００１４】
この構成によれば、ステージに熱電対が埋設されているので、記録媒体の温度を安定して精度良く測定することができる。このため、判定部の判定結果も信頼性の高いものとなる。したがって、液滴吐出ヘッドから吐出されて記録媒体に着弾した紫外線硬化型インクの位置ずれが生じることを確実に抑えることが可能となる。
【００１５】
また、この液滴吐出装置においては、前記制御部は、前記温度検出手段の検出した温度が予め設定した温度未満となる吐出単位領域がない場合、前記液滴吐出ヘッドからの前記紫外線硬化型インクの前記記録媒体に対する吐出を所定時間停止させる制御を行ってもよい。
【００１６】
この構成によれば、制御部により、温度検出手段の検出した温度が予め設定した温度未満となる吐出単位領域が検出されるまで、液滴吐出ヘッドからの紫外線硬化型インクの吐出を所定時間停止させる制御が行われる。具体的には、制御部により、記録媒体が熱膨張した状態から熱膨張していない状態になるまで液滴吐出ヘッドのインク吐出動作が停止される。このため、記録媒体が熱膨張した状態で記録媒体に対して紫外線硬化型インクが吐出されることはない。したがって、液滴吐出ヘッドから吐出されて記録媒体に着弾した紫外線硬化型インクの位置ずれが生じることを確実に抑えることが可能となる。
【００１７】
本発明の液滴吐出装置は、紫外線硬化型インクを吐出する液滴吐出ヘッドと、前記液滴吐出ヘッドから吐出された前記紫外線硬化型インクに紫外線を照射し、該紫外線硬化型インクを硬化させる紫外線照射部と、記録媒体を載置するステージと、前記液滴吐出ヘッドと前記ステージとを、第１方向とこれに直交する第２方向に相対的に移動させる移動手段と、前記ステージ上に載置される前記記録媒体の伸び量分布を検出する伸び量検出手段と、前記伸び量検出手段によって検出された前記記録媒体の伸び量分布に基づき、予め設定された前記液滴吐出ヘッドの吐出単位領域の伸び量を求め、これら求めた伸び量がそれぞれ予め設定した伸び量未満か否かを判定する判定部と、前記判定部の判定結果が予め設定した伸び量未満であると判定された吐出単位領域に対して、前記液滴吐出ヘッドから前記紫外線硬化型インクが吐出可能となるよう、前記液滴吐出ヘッドと前記ステージとを相対的に移動させるよう、前記移動手段を制御する制御部と、を備えることを特徴とする。
【００１８】
この構成によれば、伸び量検出手段により、記録媒体の伸び量分布が検出される。また、判定部により、予め設定された液滴吐出ヘッドの吐出単位領域の伸び量がそれぞれ予め設定した伸び量未満か否かが判定される。そして、制御部により、判定部の判定結果に従って、予め設定した伸び量未満であると判定された吐出単位領域に対して液滴吐出ヘッドから紫外線硬化型インクが吐出可能となるよう、液滴吐出ヘッドとステージとを相対移動させる制御が行われる。つまり、記録媒体の熱膨張が許容される伸び量を予め設定することにより、記録媒体の熱膨張が生じていない吐出単位領域に対して紫外線硬化型インクの吐出動作が行われることになる。したがって、液滴吐出ヘッドから吐出されて記録媒体に着弾した紫外線硬化型インクの位置ずれが生じることを抑え、画質の低下を抑制して、優れた印刷品質を得ることが可能な液滴吐出装置を提供することができる。
【００１９】
また、この液滴吐出装置においては、前記移動手段は、前記液滴吐出ヘッドを前記第１方向に移動させるとともに前記ステージを前記第２方向に移動させるように構成されており、前記吐出単位領域は、前記液滴吐出ヘッドが移動する領域であって前記第２方向に沿って配列された複数のスキャン領域であり、前記判定部は、予め設定された前記液滴吐出ヘッドの前記スキャン領域毎の伸び量を求め、これら求めた伸び量がそれぞれ予め設定した伸び量未満か否かを判定し、前記制御部は、前記判定部の判定結果が予め設定した伸び量未満である判定されたスキャン領域に対して、前記液滴吐出ヘッドから前記紫外線硬化型インクが吐出可能となるよう、前記移動手段を制御してもよい。
【００２０】
この構成によれば、判定部により、予め設定された液滴吐出ヘッドのスキャン領域毎の伸び量がそれぞれ予め設定した伸び量未満か否かが判定される。そして、制御部により、判定部の判定結果に従って、予め設定した伸び量未満であると判定されたスキャン領域に対して液滴吐出ヘッドから紫外線硬化型インクが吐出可能となるよう、液滴吐出ヘッドとステージとを相対移動させる制御が行われる。つまり、記録媒体の熱膨張が許容される伸び量を予め設定することにより、記録媒体の熱膨張が生じていないスキャン領域に対して紫外線硬化型インクの吐出動作が行われることになる。このため、液滴吐出ヘッドの吐出動作がスキャン領域単位で制御されるので、例えば、スキャン領域を移動中の液滴吐出ヘッドを停止制御させる必要がない。したがって、液滴吐出ヘッドとステージとを相対移動させる移動手段の制御を容易に行うことができる。
【００２１】
また、この液滴吐出装置においては、前記伸び量検出手段は、予め前記液滴吐出ヘッドにより吐出されて前記記録媒体に着弾した紫外線硬化型インクを硬化させて形成されたマーキングに基づいて伸び量を検出してもよい。
【００２２】
この構成によれば、伸び量検出手段により、液滴吐出ヘッドにより吐出されて記録媒体に着弾した紫外線硬化型インクを硬化させて形成されたマーキングに基づいて伸び量が検出されるので、記録媒体の伸び量を安定して精度良く測定することができる。このため、判定部の判定結果も信頼性の高いものとなる。したがって、液滴吐出ヘッドから吐出されて記録媒体に着弾した紫外線硬化型インクの位置ずれが生じることを確実に抑えることが可能となる。また、マーキングを形成するための装置を別途設ける必要がないので、装置の小型化及び低コスト化を図ることができる。
【００２３】
また、この液滴吐出装置においては、前記制御部は、前記伸び量検出手段の検出した伸び量が予め設定した伸び量未満となる吐出単位領域がない場合、前記液滴吐出ヘッドからの前記紫外線硬化型インクの前記記録媒体に対する吐出を所定時間停止させる制御を行ってもよい。
【００２４】
この構成によれば、伸び量検出手段の検出した伸び量が予め設定した伸び量未満となる吐出単位領域が検出されるまで、液滴吐出ヘッドからの紫外線硬化型インクの吐出を所定時間停止させる制御が行われる。具体的には、制御部により、記録媒体が熱膨張した状態から熱膨張していない状態になるまで液滴吐出ヘッドのインク吐出動作が停止される。このため、記録媒体が熱膨張した状態で記録媒体に対して紫外線硬化型インクが吐出されることはない。したがって、液滴吐出ヘッドから吐出されて記録媒体に着弾した紫外線硬化型インクの位置ずれが生じることを確実に抑えることが可能となる。
【図面の簡単な説明】
【００２５】
【図１】本発明に係る第１実施形態の液滴吐出装置の概略構成を示す模式図である。
【図２】液滴吐出ヘッドのノズル形成面におけるノズルの配列状態を示す図である。
【図３】液滴吐出ヘッドの内部構成を示す部分断面図である。
【図４】本発明に係る第１実施形態の液滴吐出装置の要部を示す平面図である。
【図５】スキャン領域における液滴吐出ヘッドの走査移動のようすを示す平面図である。
【図６】本発明に係る第２実施形態の液滴吐出装置の要部を示す平面図である。
【発明を実施するための形態】
【００２６】
以下、図面を参照して、本発明の実施の形態について説明する。かかる実施の形態は、本発明の一態様を示すものであり、この発明を限定するものではなく、本発明の技術的思想の範囲内で任意に変更可能である。また、以下の図面においては、各構成をわかりやすくするために、実際の構造と各構造における縮尺や数等が異なっている。
【００２７】
以下の説明においては、図１中に示されたＸＹＺ直交座標系を設定し、このＸＹＺ直交座標系を参照しつつ各部材について説明する。ＸＹＺ直交座標系は、Ｘ軸及びＹ軸がステージ６に対して平行な方向に設定され、Ｚ軸がステージ６に対して直交する方向に設定されている。図１中のＸＹＺ座標系は、実際にはＸＹ平面が水平面に平行な面に設定され、Ｚ軸が鉛直上方向に設定される。なお、液滴吐出ヘッド９の走査移動方向をＹ方向（第１方向）、ステージ６の移動方向をＸ方向（第２方向）とする。
【００２８】
（第１実施形態）
図１は本発明に係る第１実施形態の液滴吐出装置１の概略構成を示す模式図である。液滴吐出装置１は、例えばポリエチレンテレフタレート（ＰＥＴ）やポリカーボネート（ＰＣ）等からなる記録媒体Ｐ上に紫外線硬化型インクを吐出し、記録媒体Ｐに着弾した紫外線硬化型インクに対して紫外線照射を行って該紫外線硬化型インクを硬化させ、記録媒体Ｐ上に画像や各種の模様等のパターンを描画するものである。なお、以下「紫外線硬化型インク」について説明するときは、便宜上、単に「インク」ということがある。
【００２９】
この液滴吐出装置１は、記録媒体Ｐを載置する基台２と、基台２上の記録媒体Ｐを図１中のＸ方向に搬送する搬送装置３と、紫外線硬化型インクを吐出する液滴吐出ヘッド９と、液滴吐出ヘッド９を複数備えてなるキャリッジ４と、このキャリッジ４をＹ方向に移動させる送り装置５と、紫外線照射部１２と、温度検出手段４０（図４参照）と、判定部１３と、各種構成部品の制御を行う制御部８と、を具備して構成されている。搬送装置３及び送り装置５により、記録媒体Ｐとキャリッジ４とを、Ｘ方向とＹ方向とにそれぞれ相対移動させる移動手段が構成されている。
【００３０】
搬送装置３は、基台２上に設けられたステージ６及びステージ移動装置７を備えて構成されたものである。ステージ６は、ステージ移動装置７によって基台２上をＸ方向に移動可能に設けられたもので、上流側の搬送装置（図示せず）から搬送される記録媒体Ｐを、例えば真空吸着機構によってＸＹ平面上に保持するものである。
【００３１】
ステージ移動装置７は、ボールネジまたはリニアガイド等の軸受け機構を備えたもので、制御部８から入力される、ステージ６のＸ座標を示すステージ位置制御信号に基づいて、ステージ６をＸ方向に移動させるよう構成されたものである。
【００３２】
キャリッジ４は、送り装置５に移動可能に取り付けられた矩形板状のもので、その底面側に複数の液滴吐出ヘッド９を、Ｙ方向に沿って配列させた状態で保持したものである。これら複数の液滴吐出ヘッド９（９Ｙ,９Ｃ,９Ｍ,９Ｋ）は、後述するように複数のノズル１７を備えたもので、制御部８から入力される描画データや駆動制御信号に基づいて、紫外線硬化型インクの液滴を吐出するものである。また、これら複数の液滴吐出ヘッド９（９Ｙ,９Ｃ,９Ｍ,９Ｋ）は、Ｙ（イエロー）、Ｃ（シアン）、Ｍ（マゼンタ）、Ｋ（黒）に対応した紫外線硬化型インクをそれぞれ吐出するもので、それぞれの液滴吐出ヘッド９には、図１に示すようにキャリッジ４を介してチューブ（配管）１０が連結されている。
【００３３】
そして、Ｙ（イエロー）に対応する液滴吐出ヘッド９Ｙには、チューブ１０を介してＹ（イエロー）用の紫外線硬化型インクを充填・貯蔵した第１タンク（インク貯留室）１１Ｙが接続されており、これによって液滴吐出ヘッド９Ｙには、この第１タンク１１ＹからＹ（イエロー）用の紫外線硬化型インクが供給されるようになっている。同様に、Ｃ（シアン）に対応する液滴吐出ヘッド９ＣにはＣ（シアン）用の紫外線硬化型インクを充填した第２タンク１１Ｃが接続され、Ｍ（マゼンタ）に対応する液滴吐出ヘッド９ＭにはＭ（マゼンタ）用の紫外線硬化型インクを充填した第３タンク１１Ｍが接続され、Ｋ（黒）に対応する液滴吐出ヘッド９ＫにはＫ（黒）用の紫外線硬化型インクを充填した第４タンク１１Ｋが接続されている。このような構成によって液滴吐出ヘッド９Ｃには、第２タンク１１ＣからＣ（シアン）用の紫外線硬化型インクが供給されるようになっており、液滴吐出ヘッド９Ｍには、第３タンク１１ＭからＭ（マゼンタ）用の紫外線硬化型インクが供給されるようになっており、液滴吐出ヘッド９Ｋには、第４タンク１１ＫからＫ（黒）用の紫外線硬化型インクが供給されるようになっている。
【００３４】
ここで、紫外線硬化型インクは、例えば紫外線硬化型のインクなど、所定波長の光を受けて硬化するタイプのもので、モノマーと光重合開始剤と各色に対応する顔料とを含有し、さらに必要に応じて、界面活性剤や熱ラジカル重合禁止剤などの各種添加剤が配合されたものである。なお、このような紫外線硬化型インクは、通常はその成分（配合）等によって吸収する光（紫外線）の波長域等が異なることから、硬化する波長の最適値、すなわち最適硬化波長も、インク毎に異なっている。
【００３５】
例えば、紫外線硬化型インクは、ビヒクル、光重合開始剤および顔料の混合物に、消泡剤、重合禁止剤等の補助剤を添加して調合される。ビヒクルは、光重合硬化性を有するオリゴマー、モノマー等を、反応性希釈剤により粘度調整して調合される。したがって、インクを硬化させる目的で溶媒を揮発させることはない。
【００３６】
ビヒクルとしては、単官能あるいは多官能の重合性化合物が使用できる。より具体的には、ポリエステルアクリレート、エポキシアクリレート、ウレタンアクリレート等のオリゴマー（プレポリマー）を例示でき、インクとしての粘度を調整する反応性希釈剤もこれらの材料を用いることができる。
【００３７】
光重合開始剤としては、ベンゾフェノン系、ベンゾイン系、アセトフェノン系、チオキサントン系が広く用いられる。より具体的には、４−ｂｅｎｚｏｙｌ−Ｎ，Ｎ，Ｎ−ｔｒｉｍｅｔｈｙｌ  ｂｅｎｚｅｎｅ  ｍｅｔｈａｎｅａｎｎｍｏｎｉｕｍ  ｃｈｌｏｒｉｄｅ、２−ｈｙｄｒｏｘｙ  ３−（４−ｂｅｎｚｏｙｌ−ｐｈｅｎｏｘｙ）−Ｎ，Ｎ，Ｎ−ｔｒｉｍｅｔｈｙｌ  １−ｐｒｏｐａｎｅ  ａｎｎｍｏｎｉｕｍ  ｃｈｌｏｒｉｄｅ、４−ｂｅｎｚｏｙｌ−Ｎ，Ｎ−ｄｉｍｅｔｈｙｌ  Ｎ−［２−（１−ｏｘｏ−２−ｐｒｏｐｅｎｙｌｏｘｙ）  ｅｔｈｙｌ］  ｂｅｎｚｅｎｅ  ｍｅｔｈａｍｍｏｎｉｕｍ  ｂｒｏｍｉｄｅ等、第４級アンモニウム塩型の水溶性有機物等を用いることができる。この種の光重合開始剤は、その組成に応じて、紫外線吸収特性、反応開始効率、黄変性等が異なるので、インクとしての色等に応じて使い分けられる。
【００３８】
重合禁止剤としては、ラジカル捕捉能力を有してラジカル重合を阻害する化合物であれば何れも使用できる。ただし、液滴吐出装置１における吐出適性等を配慮すると、ハイドロキノン類、カテコール類、ヒンダードアミン類、フェノール類、フェノチアジン類、縮合芳香族環のキノン類から選択された少なくとも１種類以上の化合物が好ましい。
【００３９】
ハイドロキノン類としては、ハイドロキノン、ハイドロキノンモノメチルエーテル、１−ｏ−２，３，５−トリメチルハイドロキノン、２−ｔｅｒｔ−ブチルハイドロキノン等を例示できる。カテコール類としては、カテコール、４−メチルカテコール、４−ｔｅｒｔ−ブチルカテコール等を例示できる。ヒンダードアミン類としては、テトラメチルピペリジニル基を有する化合物等を例示できる。
【００４０】
また、フェノール類としては、フェノール、ブチルヒドロキシトルエン、ブチルヒドロキシアニソール、ピロガロール、没食子酸、没食子酸アルキルエステル等を例示できる。フェノチアジン類としては、フェノチアジン等を例示できる。前記縮合芳香族環のキノン類としては、ナフトキノン等を例示できる。
【００４１】
更に、重合禁止剤は、カーボンブラックまたは表面に重合防止官能基を導入した無機・有機微粒子であってもよい。重合防止官能基としては、例えば、ヒドロキシフェニル基、ジヒドロキシフェニル基、テトラメチルピペリジニル基、縮合芳香族環等を例示できる。
【００４２】
ここで、図２及び図３を参照して液滴吐出ヘッド９の構成について説明する。図２は、液滴吐出ヘッド９のノズル形成面２１Ａにおけるノズル１７の配列状態を示す図である。図３は、液滴吐出ヘッド９の内部構成を示す部分断面図である。
【００４３】
図２に示すように、ノズル１７はノズル形成面２１Ａにおいて記録媒体Ｐの搬送方向（Ｘ方向）に沿って複数設けられ、ノズル列１６を形成している。このノズル列１６は、液滴吐出ヘッド９の走査方向（Ｙ方向）に沿って計５列設けられている。なお、液滴吐出ヘッド９に設けるノズル数及びノズル列数は任意に変更可能である。また、液滴吐出ヘッド９どうしをノズル１７間のピッチの半分だけ左右方向にずらして配置してもよい。これにより、記録媒体Ｐに対して印字する解像度を向上させることができる。
【００４４】
図３に示すように、液滴吐出ヘッド９は、ヘッド本体１８と、ヘッド本体１８に接続された流路形成ユニット２２とを備える。流路形成ユニット２２は、振動板１９と、流路基板２０と、ノズル基板２１とを備えるとともに、共通インク室２９と、インク供給口３０と、圧力室３１とを形成する。さらに、流路形成ユニット２２は、ダイヤフラム部として機能する島部３２と、共通インク室２９内の圧力変動を吸収するコンプライアンス部３３とを備える。ヘッド本体１８には、固定部材２６とともに駆動ユニット２４を収容する収容空間２３と、インクを流路形成ユニット２２に案内する内部流路２８とが形成される。
【００４５】
上記構成の液滴吐出ヘッド９によれば、ケーブル２７を介して駆動ユニット２４に駆動信号が入力されると、圧電素子２５が伸縮する。これにより、振動板１９が圧力室３１に接近する方向（−Ｚ方向）及び圧力室３１から離れる方向（＋Ｚ方向）に変形（移動）する。このため、圧力室３１の容積が変化し、インクを収容した圧力室３１の圧力が変動する。この圧力の変動によって、ノズル１７からインクが噴射される。
【００４６】
図１に戻り、キャリッジ４を移動させる送り装置５は、例えば基台２を跨ぐ橋梁構造をしたもので、Ｙ方向及びＸＹ平面に直交するＺ方向に対して、ボールネジまたはリニアガイド等の軸受け機構を備えたものである。このような構成のもとに送り装置５は、制御部８から入力される、キャリッジ４のＹ座標及びＺ座標を示すキャリッジ位置制御信号に基づいて、キャリッジ４をＹ方向に移動させるとともに、Ｚ方向にも移動させるようになっている。
【００４７】
また、図１に示すキャリッジ４には、液滴吐出ヘッド９の全てに対して、該液滴吐出ヘッド９の近傍にそれぞれ紫外線照射部１２が配置されている。具体的には、紫外線照射部１２は、キャリッジ４の移動方向の前後に設けられており、液滴吐出ヘッド９の走査移動とともに移動するようになっている。紫外線照射部１２は、記録媒体Ｐに吐出された紫外線硬化型インクを硬化させるためのもので、本実施形態では多数のＬＥＤ（発光ダイオード）からなっている。ただし、本発明では、ＬＥＤに限定されることなく、これ以外にも例えばレーザーダイオード（ＬＤ）や、さらには水銀灯ランプ、メタルハライドランプ、キセノンランプ、エキシマランプ等を紫外線照射部１２として用いることができる。
【００４８】
本実施形態のＬＥＤからなる紫外線照射部１２は、それぞれ照射する光が、対応する液滴吐出ヘッド９Ｙ,９Ｃ,９Ｍ,９Ｋが吐出する紫外線硬化型インクの、最適硬化波長に対応した波長を有している。つまり、前述したように各紫外線硬化型インクは、その成分（配合）等によって最適硬化波長が異なっており、これに対して紫外線照射部１２は、対応する紫外線硬化型インクの最適硬化波長を有した光を照射するようになっている。
【００４９】
制御部８は、ステージ移動装置７にステージ位置制御信号を出力し、送り装置５にキャリッジ位置制御信号を出力し、さらには液滴吐出ヘッド９の駆動回路基板（図示せず）に描画データ及び駆動制御信号を出力するものである。これによって制御部８は、記録媒体Ｐとキャリッジ４とを相対移動させるべく、ステージ６の移動による記録媒体Ｐの位置決め動作、及びキャリッジ４の移動による液滴吐出ヘッド９の位置決め動作の同期制御を行い、さらに液滴吐出ヘッド９に液滴吐出動作を行わせることにより、記録媒体Ｐ上の所定の位置に紫外線硬化型インクの液滴を配するようになっている。また、この制御部８は、液滴吐出ヘッド９に液滴吐出動作を行わせるのとは別に、紫外線照射部１２に光照射動作を行わせるようになっている。
【００５０】
ところで、従来の液滴吐出装置においては、ＵＶランプなどのＵＶ照射手段がインクジェットヘッドの横に設けられているインクジェットプリンターを適用する場合、インクジェットヘッドによる描画位置近傍で描画直後にＵＶインクを硬化させるために、ＵＶランプからの熱成分を含むＵＶ光が記録媒体に照射され、また、記録媒体は高熱のＵＶランプからの熱を受けることとなっていた。このため、記録媒体が描画位置において熱膨張してしまい、これにより、記録媒体に着弾したインクの位置ずれが生じる等して、画質を低下させるおそれがあった。
一方、インクジェットヘッドとＵＶランプとの間の距離を所定の距離だけ離間する構成も考えられるが、熱成分を含むＵＶ光の照射により熱の影響を少なからず受けることとなっていた。このため、記録媒体が熱膨張することを抑制するにも限界があり、記録媒体に着弾したインクの位置ずれが生じることを抑制することは困難であった。
【００５１】
そこで、本発明に係る液滴吐出装置１では、紫外線硬化型インクを吐出する液滴吐出ヘッド９と、液滴吐出ヘッド９から吐出された紫外線硬化型インクに紫外線を照射し、該紫外線硬化型インクを硬化させる紫外線照射部１２と、記録媒体Ｐを載置するステージ６と、液滴吐出ヘッド９とステージ６とを、第１方向とこれに直交する第２方向に相対的に移動させる移動手段と、ステージ６上に載置される記録媒体Ｐの温度分布を検出する温度検出手段４０と、温度検出手段４０によって検出された記録媒体Ｐの温度分布に基づき、予め設定された液滴吐出ヘッド９の吐出単位領域の温度を求め、これら求めた温度がそれぞれ予め設定した温度未満か否かを判定する判定部１３と、判定部１３の判定結果が予め設定した温度未満であると判定された吐出単位領域に対して、液滴吐出ヘッド９から紫外線硬化型インクが吐出可能となるよう、液滴吐出ヘッド９とステージ６とを相対的に移動させるよう、移動手段を制御する制御部８と、を備える構成としている。そして、記録媒体Ｐの熱膨張が許容される温度を予め設定することにより、記録媒体Ｐの熱膨張が生じていない吐出単位領域に対して紫外線硬化型インクの吐出動作が行われるようにし、液滴吐出ヘッド９から吐出されて記録媒体Ｐに着弾した紫外線硬化型インクの位置ずれが生じることを抑えている。以下、図４を用いて液滴吐出装置１における液滴吐出ヘッド９、紫外線照射部１２、記録媒体Ｐ、ステージ６及び温度検出手段４０の配置構成について説明する。
【００５２】
図４は、第１実施形態の液滴吐出装置１の要部を示す平面図である。なお、図４において、符号Ｓ１〜Ｓ３は、予め設定された吐出単位領域である。また、図４においては、便宜上、キャリッジ４、チューブ１０、タンク１１Ｙ〜１１Ｋ、判定部１３及び制御部８などの図示を省略している。
【００５３】
本実施形態において、移動手段は、液滴吐出ヘッド９を第１方向に移動させるとともにステージ６を第２方向に移動させるように構成されている。吐出単位領域は、液滴吐出ヘッド９が走査移動する領域であって第２方向（Ｘ方向）に沿って配列されたスキャン領域である。判定部１３（図１参照）は、予め設定された液滴吐出ヘッド９のスキャン領域Ｓ１〜Ｓ３毎の温度を求め、これら求めた温度がそれぞれ予め設定した温度未満か否かを判定するようになっている。制御部８（図１参照）は、判定部１３の判定結果が予め設定した温度（しきい値）未満であると判定されたスキャン領域に対して、液滴吐出ヘッド９から紫外線硬化型インクが吐出可能となるよう、移動手段を制御するようになっている。
【００５４】
図４に示すように、液滴吐出装置１は、液滴吐出ヘッド９と、液滴吐出ヘッド９が走査移動する第１方向（Ｙ方向）と直交する第２方向（Ｘ方向）に移動可能に配置された、記録媒体を載置するステージ６と、液滴吐出ヘッド９の走査移動に従って第１方向に移動可能に配置された紫外線照射部１２と、液滴吐出ヘッド９が走査移動する領域であって第２方向に沿って配列された複数のスキャン領域Ｓ１〜Ｓ３に対応する位置に配置されて、スキャン領域Ｓ１〜Ｓ３毎に記録媒体Ｐの温度を検出する温度検出手段４０と、温度検出手段４０の検出した温度がしきい値未満か否かを判定する判定部１３（図１参照）と、判定部１３の判定結果に従って、第２方向に沿って配列された複数のスキャン領域Ｓ１〜Ｓ３のうち記録媒体Ｐの温度がしきい値未満となるスキャン領域Ｓ１〜Ｓ３に対して液滴吐出ヘッド９の吐出動作を行わせる制御を行う制御部８（図１参照）と、を備えている。
【００５５】
温度検出手段４０は、ステージ６に埋設された熱電対である。熱電対は、スキャン領域Ｓ１〜Ｓ３毎に複数設けられており、ここではスキャン領域Ｓ１〜Ｓ３毎に２列、１４個ずつ配置されている。このように、ステージ６に熱電対が埋設されているので、記録媒体Ｐの温度を安定して精度良く測定することができる。なお、熱電対の配置数は必要に応じて適宜変更することができる。
【００５６】
判定部１３（図１参照）は、予め設定した液滴吐出ヘッド９のスキャン領域Ｓ１〜Ｓ３毎の温度を求め、これら求めた温度がそれぞれしきい値未満であるか否かを判定する。ここで、判定部１３の判定方法としては、例えば、温度検出手段４０がステージ６に埋設された複数の熱電対が検出した記録媒体Ｐの温度のうち最も高い温度がしきい値未満であるか否かを判定する方法がある。また、複数の熱電対が検出した記録媒体Ｐの温度の平均値がしきい値未満であるか否かを判定する方法もある。なお、判定部１３の判定方法としては、これらに限らず、適宜種々の方法を採用することができる。また、しきい値の設定方法としては、多くの実験データを基に平均値をとって求める方法や記録媒体Ｐの温度の測定誤差等を加味して求める方法があるが、これらに限らず、必要に応じて適宜設定することができる。
【００５７】
制御部８（図１参照）は、温度検出手段４０の検出した温度がしきい値未満となるスキャン領域Ｓ１〜Ｓ２がない場合、液滴吐出ヘッド９からの紫外線硬化型インクの記録媒体Ｐに対する吐出を所定時間停止させる制御を行う。
【００５８】
具体的には、制御部８により、温度検出手段４０の検出した温度がしきい値未満となるスキャン領域Ｓ１〜Ｓ３が検出されるまで、液滴吐出ヘッド９からの紫外線硬化型インクの吐出を所定時間停止させる制御が行われる。つまり、制御部８により、記録媒体Ｐが熱膨張した状態から熱膨張していない状態になるまで液滴吐出ヘッド９のインク吐出動作が停止される。このため、記録媒体Ｐが熱膨張した状態で記録媒体Ｐに対して紫外線硬化型インクが吐出されることはない。
【００５９】
なお、液滴吐出ヘッド９の吐出動作においては、少なくとも記録媒体Ｐに対して紫外線硬化型インクが吐出されない制御が行われていればよい。つまり、液滴吐出ヘッド９が不図示のクリーニングユニットに移動制御されて、クリーニング領域でキャッピングやフラッシング等の吐出動作が行われる分にはかまわない。
【００６０】
なお、本実施形態でいう「しきい値」とは、記録媒体Ｐが熱膨張していない部分を記録媒体Ｐの温度で定義したものである。例えば、ステージ６上に予め熱電対を配置しておき、ステージ６上に載置された記録媒体Ｐの温度分布を測定する。そして、測定された温度がある許容範囲に入った部分を熱膨張していないと判断することができる。
【００６１】
ここで、液滴吐出ヘッド９の走査移動パターンについて図５を用いて説明する。図５は、スキャン領域Ｓ１〜Ｓ３における液滴吐出ヘッド９の走査移動のようすを示す平面図である。なお、図５においては、便宜上、温度検出手段４０及びステージ６などの図示を省略している。
【００６２】
参考として、ＰＥＴの線膨張係数は６[１０−５／℃]、ＰＣの線膨張係数は７[１０−５／℃]である。記録媒体ＰとしてＰＥＴを用いる場合を考えると、例えば、記録媒体Ｐの単位長さ（１ｍ）当たりの熱膨張量を＋６０μｍに抑えたいときには、しきい値を＋１℃に設定することになる。なお、本実施形態では、しきい値を例えば＋０．５℃に設定することとする。
【００６３】
図５（ａ）に示すように、先ず、第１スキャン領域Ｓ１における記録媒体Ｐに対して液滴吐出ヘッド９を走査移動させる。すると、第１スキャン領域Ｓ１における記録媒体Ｐの温度が上昇する。つまり、描画直後に紫外線硬化型インクを硬化させるために、紫外線照射部１２からの熱成分を含む紫外線が記録媒体Ｐに照射されたり、記録媒体Ｐは高熱の紫外線照射部１２からの熱を受けたりすることによる。このため、記録媒体Ｐが描画位置において熱膨張する。
【００６４】
このとき、温度検出手段４０により、液滴吐出ヘッド９の走査方向（第１方向）と直交する第２方向に沿って配列された複数のスキャン領域Ｓ１〜Ｓ３毎に、記録媒体Ｐの温度が検出される。また、判定部１３により、温度検出手段４０の検出した温度がしきい値未満か否かが判定される。そして、制御部８により、判定部１３の判定結果に従って、複数のスキャン領域Ｓ１〜Ｓ３のうち記録媒体Ｐの温度がしきい値未満となるスキャン領域に対して選択的に液滴吐出ヘッド９の吐出動作をさせる制御が行われる。
【００６５】
図５（ｂ）に示すように、次いで、第２スキャン領域Ｓ２における記録媒体Ｐに対して液滴吐出ヘッド９を走査移動させる。すると、第２スキャン領域Ｓ２における記録媒体Ｐの温度が上昇する。このとき、第１スキャン領域Ｓ１における記録媒体Ｐには紫外線が照射されないので、第１スキャン領域Ｓ１における記録媒体Ｐの温度は低くなっている。
【００６６】
図５（ｃ）に示すように、次いで、第３スキャン領域Ｓ３における記録媒体Ｐに対して液滴吐出ヘッド９を走査移動させる。すると、第３スキャン領域Ｓ３における記録媒体Ｐの温度が上昇する。このとき、第１スキャン領域Ｓ１及び第２スキャン領域Ｓ２における記録媒体Ｐには紫外線が照射されない。このため、第１スキャン領域Ｓ１及び第２スキャン領域Ｓ２における記録媒体Ｐの温度は低くなっている。
【００６７】
図５（ｄ）に示すように、次いで、第１スキャン領域Ｓ１における記録媒体Ｐに対して液滴吐出ヘッド９を走査移動させる。このとき、第１スキャン領域Ｓ１における記録媒体Ｐの温度は、はじめに紫外線が照射されてから所定時間経過しているので、第１スキャン領域Ｓ１における記録媒体Ｐの温度はしきい値未満になっている。なお、温度手段４０の検出した記録媒体Ｐの温度がしきい値未満となるスキャン領域がない場合は、制御部８により、液滴吐出ヘッド９からの紫外線硬化型インクの記録媒体Ｐに対する吐出を所定時間停止させる制御が行われることになる。以下、上述したような液滴吐出ヘッド９の吐出動作の制御が繰り返し行われることによって、記録媒体Ｐに着弾した紫外線硬化型インクに位置ずれが生じることなく描画パターンが形成される。
【００６８】
本実施形態の液滴吐出装置１によれば、温度検出手段４０により、記録媒体Ｐの温度分布が検出される。また、判定部１３により、予め設定された液滴吐出ヘッド９の吐出単位領域の温度がそれぞれしきい値未満か否かが判定される。そして、制御部８により、判定部１３の判定結果に従って、しきい値未満であると判定された吐出単位領域に対して液滴吐出ヘッド９から紫外線硬化型インクが吐出可能となるよう、液滴吐出ヘッド９とステージ６とを相対移動させる制御が行われる。つまり、記録媒体Ｐの熱膨張が許容されるしきい値を予め設定することにより、記録媒体Ｐの熱膨張が生じていない吐出単位領域に対して紫外線硬化型インクの吐出動作が行われることになる。したがって、液滴吐出ヘッド９から吐出されて記録媒体Ｐに着弾した紫外線硬化型インクの位置ずれが生じることを抑え、画質の低下を抑制して、優れた印刷品質を得ることが可能な液滴吐出装置１を提供することができる。
【００６９】
この構成によれば、判定部１３により、予め設定された液滴吐出ヘッド９のスキャン領域毎の温度がそれぞれしきい値未満か否かが判定される。そして、制御部８により、判定部１３の判定結果に従って、しきい値未満であると判定されたスキャン領域に対して液滴吐出ヘッド９から紫外線硬化型インクが吐出可能となるよう、液滴吐出ヘッド９とステージ６とを相対移動させる制御が行われる。つまり、記録媒体Ｐの熱膨張が許容されるしきい値を予め設定することにより、記録媒体Ｐの熱膨張が生じていないスキャン領域に対して紫外線硬化型インクの吐出動作が行われることになる。このため、液滴吐出ヘッド９の吐出動作がスキャン領域単位で制御されるので、例えば、スキャン領域を移動中の液滴吐出ヘッド９を停止制御させる必要がない。したがって、液滴吐出ヘッド９とステージ６とを相対移動させる移動手段の制御を容易に行うことができる。
【００７０】
この構成によれば、温度検出手段４０がステージ６に熱電対が埋設された構成であるので、記録媒体Ｐの温度を安定して精度良く測定することができる。このため、判定部１３の判定結果も信頼性の高いものとなる。したがって、液滴吐出ヘッド９から吐出されて記録媒体Ｐに着弾した紫外線硬化型インクの位置ずれが生じることを確実に抑えることが可能となる。
【００７１】
この構成によれば、制御部８により、温度検出手段４０の検出した温度がしきい値未満となるスキャン領域が検出されるまで、液滴吐出ヘッド９からの紫外線硬化型インクの吐出を所定時間停止させる制御が行われる。具体的には、制御部８により、記録媒体Ｐが熱膨張した状態から熱膨張していない状態になるまで液滴吐出ヘッド９のインク吐出動作が停止される。このため、記録媒体Ｐが熱膨張した状態で記録媒体Ｐに対して紫外線硬化型インクが吐出されることはない。したがって、液滴吐出ヘッド９から吐出されて記録媒体Ｐに着弾した紫外線硬化型インクの位置ずれが生じることを確実に抑えることが可能となる。
【００７２】
なお、本実施形態では、移動手段は、液滴吐出ヘッド９を第１方向に移動させるとともにステージ６を第２方向に移動させるように構成されているが、これに限らない。例えば、移動手段は、液滴吐出ヘッド９を固定してステージ６を第１方向と第２方向に移動させてもよいし、ステージ６を固定して液滴吐出ヘッド９を第１方向と第２方向に移動させてもよい。すなわち、移動手段は、液滴吐出ヘッド９とステージ６との少なくとも一方を、第１方向と第２方向に相対的に移動させるように構成されていればよい。
【００７３】
なお、本実施形態では、ステージ６上に載置される記録媒体Ｐの温度分布を検出する温度検出手段４０と、温度検出手段４０によって検出された記録媒体Ｐの温度分布に基づき、予め設定された液滴吐出ヘッド９の吐出単位領域の温度を求め、これら求めた温度がそれぞれしきい値未満か否かを判定する判定部１３と、を備えた構成を挙げて説明したが、これに限らない。以下、上記第１実施形態とは異なる形態の液滴吐出装置の構成について、図６を用いて説明する。
【００７４】
（第２実施形態）
図６は、図４に対応した、本実施形態に係る液滴吐出装置１Ａの要部を示す平面図である。また、図６においては、便宜上、キャリッジ４、チューブ１０、タンク１１Ｙ〜１１Ｋ、判定部１３及び制御部８などの図示を省略している。図６に示すように、本実施形態の液滴吐出装置１Ａは、ステージ６上に載置される記録媒体Ｐの伸び量分布を検出する伸び量検出手段４１と、伸び量検出手段４１によって検出された記録媒体Ｐの伸び量分布に基づき、予め設定された液滴吐出ヘッド９の吐出単位領域の伸び量を求め、これら求めた伸び量がそれぞれ予め設定した伸び量未満か否かを判定する判定部と、を備えている点で、上述の第１実施形態で説明した液滴吐出装置１と異なる。図６において、図４と同様の要素には同一の符号を付し、詳細な説明は省略する。
【００７５】
本実施形態において、判定部１３（図１参照）は、予め設定された液滴吐出ヘッド９のスキャン領域Ｓ１〜Ｓ３毎の伸び量を求め、これら求めた伸び量がそれぞれ予め設定した伸び量未満か否かを判定するようになっている。制御部８（図１参照）は、判定部１３の判定結果が予め設定した伸び量（しきい値）未満であると判定されたスキャン領域に対して、液滴吐出ヘッド９から紫外線硬化型インクが吐出可能となるよう、移動手段を制御するようになっている。
【００７６】
本実施形態の液滴吐出装置１Ａは、液滴吐出ヘッド９と、ステージ６と、紫外線照射部１２と、スキャン領域Ｓ１〜Ｓ３毎に記録媒体Ｐの伸び量を検出する伸び量検出手段４１と、伸び量検出手段４１の検出した伸び量がしきい値未満か否かを判定する判定部１３（図１参照）と、判定部１３の判定結果に従って、第２方向に沿って配列された複数のスキャン領域Ｓ１〜Ｓ３のうち記録媒体Ｐの伸び量がしきい値未満となるスキャン領域Ｓ１〜Ｓ３に対して液滴吐出ヘッド９の吐出動作を行わせる制御を行う制御部８（図１参照）と、を備えている。
【００７７】
伸び量検出手段４１は、予め液滴吐出ヘッド９により吐出されて記録媒体Ｐに着弾した紫外線硬化型インクを硬化させて形成されたマーキング（側長用の印）に基づいて伸び量を検出するものである。マーキングは、スキャン領域Ｓ１〜Ｓ３毎に複数設けられており、ここではスキャン領域Ｓ１〜Ｓ３毎にＹ方向の両サイドに４個ずつ配置されている。また、マーキングの間隔は例えば１ｍｍ程度になっている。
【００７８】
このように、伸び量検出手段４１により、液滴吐出ヘッド９により吐出されて記録媒体Ｐに着弾した紫外線硬化型インクを硬化させて形成されたマーキングに基づいて伸び量が検出されるので、記録媒体Ｐの伸び量を安定して精度良く測定することができる。なお、マーキングは記録媒体Ｐにおける描画領域を除いた領域（非描画領域）に形成される。そして、このマーキングは、描画後に適宜必要に応じてカットされる。
【００７９】
撮像カメラ４２は、第２方向（Ｘ方向）に沿って移動可能に配置されている。撮像カメラ４２は、記録媒体ＰのＹ方向における両側に対応する位置に設けられており、ここでは２台配置されている。この撮像カメラ４２は、記録媒体Ｐに配置されたマーキングを撮像するものである。撮像カメラ４２によって撮像された各種データは、判定部１３に入力される。
【００８０】
制御部８（図１参照）は、伸び量検出手段４１の検出した伸び量がしきい値未満となるスキャン領域Ｓ１〜Ｓ２がない場合、液滴吐出ヘッド９からの紫外線硬化型インクの記録媒体Ｐに対する吐出を所定時間停止させる制御を行う。
【００８１】
具体的には、制御部８により、伸び量検出手段４１の検出した伸び量がしきい値未満となるスキャン領域Ｓ１〜Ｓ３が検出されるまで、液滴吐出ヘッド９からの紫外線硬化型インクの吐出を所定時間停止させる制御が行われる。つまり、制御部８により、記録媒体Ｐが熱膨張した状態から熱膨張していない状態になるまで液滴吐出ヘッド９のインク吐出動作が停止される。このため、記録媒体Ｐが熱膨張した状態で記録媒体Ｐに対して紫外線硬化型インクが吐出されることはない。
【００８２】
なお、本実施形態でいう「しきい値」とは、記録媒体Ｐが熱膨張していない部分を記録媒体Ｐの伸び量で定義したものである。例えば、記録媒体Ｐの両端に予め側長用の印（マーキング）を形成しておき、撮像カメラ４２で両端のマーキングを撮像してその間の距離を測定する。そして、マーキングの間の距離がある許容範囲に入った部分を熱膨張していないと判断することができる。
【００８３】
ここで、液滴吐出ヘッド９の走査移動パターンについて図５を用いて説明する。なお、図５においては、便宜上、伸び量検出手段４１、撮像カメラ４２、マーキング及びステージ６などの図示を省略している。
【００８４】
図５（ａ）に示すように、先ず、第１スキャン領域Ｓ１における記録媒体Ｐに対して液滴吐出ヘッド９を走査移動させる。すると、第１スキャン領域Ｓ１における記録媒体Ｐの温度が上昇する。
【００８５】
このとき、伸び量検出手段４１及び撮像カメラ４２により、液滴吐出ヘッド９の走査方向（第１方向）と直交する第２方向に沿って配列された複数のスキャン領域Ｓ１〜Ｓ３毎に、記録媒体Ｐの伸び量が検出される。また、判定部１３により、伸び量検出手段４１の検出した伸び量がしきい値未満か否かが判定される。そして、制御部８により、判定部１３の判定結果に従って、複数のスキャン領域Ｓ１〜Ｓ３のうち記録媒体Ｐの伸び量がしきい値未満となるスキャン領域に対して選択的に液滴吐出ヘッド９を走査移動させる制御が行われる。
【００８６】
図５（ｂ）に示すように、次いで、第２スキャン領域Ｓ２における記録媒体Ｐに対して液滴吐出ヘッド９を走査移動させる。すると、第２スキャン領域Ｓ２における記録媒体Ｐの温度が上昇する。このとき、第１スキャン領域Ｓ１における記録媒体Ｐには紫外線が照射されないので、第１スキャン領域Ｓ１における記録媒体Ｐの温度は低くなっている。
【００８７】
図５（ｃ）に示すように、次いで、第３スキャン領域Ｓ３における記録媒体Ｐに対して液滴吐出ヘッド９を走査移動させる。すると、第３スキャン領域Ｓ３における記録媒体Ｐの温度が上昇する。このとき、第１スキャン領域Ｓ１及び第２スキャン領域Ｓ２における記録媒体Ｐには紫外線が照射されない。このため、第１スキャン領域Ｓ１及び第２スキャン領域Ｓ２における記録媒体Ｐの温度は低くなっている。
【００８８】
図５（ｄ）に示すように、次いで、第１スキャン領域Ｓ１における記録媒体Ｐに対して液滴吐出ヘッド９を走査移動させる。このとき、第１スキャン領域Ｓ１における記録媒体Ｐの温度は、はじめに紫外線が照射されてから所定時間経過しているので、第１スキャン領域Ｓ１における記録媒体Ｐの伸び量はしきい値未満に低くなっている。なお、温度手段４０の検出した記録媒体Ｐの伸び量がしきい値未満となるスキャン領域がない場合は、制御部８により、液滴吐出ヘッド９からの紫外線硬化型インクの記録媒体Ｐに対する吐出を所定時間停止させる制御が行われることになる。以下、上述したような液滴吐出ヘッド９の走査移動の制御が繰り返し行われることによって、記録媒体Ｐに着弾した紫外線硬化型インクに位置ずれが生じることなく描画パターンが形成される。
【００８９】
本実施形態の液滴吐出装置１Ａによれば、伸び量検出手段４１により、記録媒体Ｐの伸び量分布が検出される。また、判定部１３により、予め設定された液滴吐出ヘッドの吐出単位領域の伸び量Ｓがそれぞれしきい値未満か否かが判定される。そして、制御部８により、判定部１３の判定結果に従って、しきい値未満であると判定された吐出単位領域に対して液滴吐出ヘッド９から紫外線硬化型インクが吐出可能となるよう、液滴吐出ヘッド９とステージ６とを相対移動させる制御が行われる。つまり、記録媒体Ｐの熱膨張が許容される伸び量を予め設定することにより、記録媒体Ｐの熱膨張が生じていない吐出単位領域に対して紫外線硬化型インクの吐出動作が行われることになる。したがって、液滴吐出ヘッド９から吐出されて記録媒体Ｐに着弾した紫外線硬化型インクの位置ずれが生じることを抑え、画質の低下を抑制して、優れた印刷品質を得ることが可能な液滴吐出装置１Ａを提供することができる。
【００９０】
この構成によれば、判定部１３により、予め設定された液滴吐出ヘッド９のスキャン領域Ｓ１〜Ｓ３毎の伸び量がそれぞれしきい値未満か否かが判定される。そして、制御部８により、判定部１３の判定結果に従って、しきい値未満であると判定されたスキャン領域に対して液滴吐出ヘッド９から紫外線硬化型インクが吐出可能となるよう、液滴吐出ヘッド９とステージ６とを相対移動させる制御が行われる。つまり、記録媒体Ｐの熱膨張が許容される伸び量を予め設定することにより、記録媒体Ｐの熱膨張が生じていないスキャン領域に対して紫外線硬化型インクの吐出動作が行われることになる。このため、液滴吐出ヘッド９の吐出動作がスキャン領域単位で制御されるので、例えば、スキャン領域を移動中の液滴吐出ヘッド９を停止制御させる必要がない。したがって、液滴吐出ヘッド９とステージ６とを相対移動させる移動手段の制御を容易に行うことができる。
【００９１】
この構成によれば、伸び量検出手段４１により、液滴吐出ヘッド９により吐出されて記録媒体Ｐに着弾した紫外線硬化型インクを硬化させて形成されたマーキングに基づいて伸び量が検出されるので、記録媒体Ｐの伸び量を安定して精度良く測定することができる。このため、判定部１３の判定結果も信頼性の高いものとなる。したがって、液滴吐出ヘッド９から吐出されて記録媒体Ｐに着弾した紫外線硬化型インクの位置ずれが生じることを確実に抑えることが可能となる。また、マーキングを形成するための装置を別途設ける必要がないので、装置の小型化及び低コスト化を図ることができる。
【００９２】
この構成によれば、伸び量検出手段４１の検出した伸び量がしきい値未満となるスキャン領域が検出されるまで、液滴吐出ヘッド９からの紫外線硬化型インクの吐出を所定時間停止させる制御が行われる。具体的には、制御部８により、記録媒体Ｐが熱膨張した状態から熱膨張していない状態になるまで液滴吐出ヘッド９のインク吐出動作が停止される。このため、記録媒体Ｐが熱膨張した状態で記録媒体Ｐに対して紫外線硬化型インクが吐出されることはない。したがって、液滴吐出ヘッド９から吐出されて記録媒体Ｐに着弾した紫外線硬化型インクの位置ずれが生じることを確実に抑えることが可能となる。
【符号の説明】
【００９３】
１，１Ａ…液滴吐出装置、６…ステージ、８…制御部、９，９Ｙ，９Ｍ，９Ｃ，９Ｋ…液滴吐出ヘッド、１２…紫外線照射部、１３…判定部、４０…温度検出手段、４１…伸び量検出手段、Ｓ１，Ｓ２，Ｓ３…スキャン領域、Ｐ…記録媒体
【図１】
2011235233.tif 000003
【図２】
2011235233.tif 000004
【図３】
2011235233.tif 000005
【図４】
2011235233.tif 000006
【図５】
2011235233.tif 000007
【図６】
2011235233.tif 000008